(57)【要約】【課題】不使用時にも全体の形状を保持することができるハンドルカバーを提供する。【解決手段】二輪車のハンドルＨに取付けて、ハンドルＨを握る手Ｔを紫外線から守るためのハンドルカバーであって、前方小開口部１と後方大開口部２を有する略筒状カバー本体３を備える。カバー本体３の上部稜線15が後端寄りに於て不使用時に垂れ下がるのを防いで上部稜線15が略ストレートの形状を保持するための骨部材５を、カバー本体３に、付設する。カバー本体３が、横断面倒立略Ｖ字型の前方本体部６と、前方本体部６の後方へ延設される延設部７と、を備える。骨部材５が、前方本体部６の上部稜線９とその延長線に沿って配設される縦骨部材５Ａを備える。【選択図】図１
2013141853.tif 000002
【特許請求の範囲】
【請求項１】
二輪車のハンドル（Ｈ）に取付けて、ハンドル（Ｈ）を握る手（Ｔ）を紫外線から守るためのハンドルカバーであって、
前方小開口部（１）と後方大開口部（２）を有する略筒状カバー本体（３）を備え、
上記カバー本体（３）の上部稜線（15）が後端寄りに於て不使用時に垂れ下がるのを防いで上記上部稜線（15）が略ストレートの形状を保持するための骨部材（５）を、上記カバー本体（３）に、付設したことを特徴とするハンドルカバー。
【請求項２】
上記カバー本体（３）が、横断面倒立略Ｖ字型の前方本体部（６）と、該前方本体部（６）の後方へ延設される延設部（７）と、を備え、
上記骨部材（５）が、上記前方本体部（６）の上部稜線（９）とその延長線（10）に沿って配設される縦骨部材（５Ａ）を備える請求項１記載のハンドルカバー。
【請求項３】
上記カバー本体（３）が、横断面倒立略Ｖ字型の前方本体部（６）と、該前方本体部（６）の後方へ延設される延設部（７）と、を備え、
上記骨部材（５）が、上記前方本体部（６）と上記延設部（７）との境界縁取り線（11）に沿って配設される横骨部材（５Ｂ）を備える請求項１又は２記載のハンドルカバー。
【請求項４】
上記延設部（７）が横断面倒立略Ｖ字型であって、上記前方本体部（６）の上部稜線（９）と、上記延設部（７）の上部稜線（12）との成す角度（θ）を、０°＜θ≦30°に設定した請求項１，２又は３記載のハンドルカバー。
【請求項５】
上記延設部（７）が横断面倒立略Ｖ字型であって、上記前方本体部（６）の上部稜線（９）の長さ寸法（Ｌ１）と、上記延設部（７）の上部稜線（12）の長さ寸法（Ｌ２）を、Ｌ１／３≦Ｌ２≦Ｌ１に設定した請求項１，２，３又は４記載のハンドルカバー。
【発明の詳細な説明】
【技術分野】
【０００１】
本発明は、ハンドルカバーに関する。
【背景技術】
【０００２】
従来、二輪車（自転車）に乗る際に、ハンドルを握る手を太陽の紫外線から守り、日焼けを防止するために、二輪車のハンドルにハンドルカバーを取付ける（例えば、特許文献１参照）。
【０００３】
しかし、骨部材を具備しないので、不使用時（駐輪中）に、図９に示すように、ハンドルカバーＸの全体形状が崩れて（すなわち、ハンドルカバーＸの上部稜線Ｘ１が後端寄りに於いて垂れ下がり）、見苦しいという欠点があった。また、駐輪後に使用しようとすると、全体形状が崩れているので（後端寄りが垂れ下がっているので）、手を入れにくいという欠点があった。
【先行技術文献】
【特許文献】
【０００４】
【特許文献１】特許第４１９８１０４号公報
【発明の概要】
【発明が解決しようとする課題】
【０００５】
解決しようとする課題は、不使用時に後端寄りが垂れ下がる（全体形状が崩れる）点である。すなわち、駐輪中にハンドルカバーが垂れ下がって見苦しい点である。そして、手を入れにくい点である。
【課題を解決するための手段】
【０００６】
そこで、本発明に係るハンドルカバーは、二輪車のハンドルに取付けて、ハンドルを握る手を紫外線から守るためのハンドルカバーであって、前方小開口部と後方大開口部を有する略筒状カバー本体を備え、カバー本体の上部稜線が後端寄りに於て不使用時に垂れ下がるのを防いで上部稜線が略ストレートの形状を保持するための骨部材を、カバー本体に、付設したものである。
また、カバー本体が、横断面倒立略Ｖ字型の前方本体部と、前方本体部の後方へ延設される延設部と、を備え、骨部材が、前方本体部の上部稜線とその延長線に沿って配設される縦骨部材を備えるものである。
また、カバー本体が、横断面倒立略Ｖ字型の前方本体部と、前方本体部の後方へ延設される延設部と、を備え、骨部材が、前方本体部と延設部との境界縁取り線に沿って配設される横骨部材を備えるものである。
【０００７】
また、上記延設部が横断面倒立略Ｖ字型であって、前方本体部の上部稜線と、延設部の上部稜線との成す角度θを、０°＜θ≦30°に設定したものである。
また、延設部が横断面倒立略Ｖ字型であって、前方本体部の上部稜線の長さ寸法Ｌ１と、延設部の上部稜線の長さ寸法Ｌ２を、Ｌ１／３≦Ｌ２≦Ｌ１に設定したものである。
【発明の効果】
【０００８】
本発明のハンドルカバーによれば、不使用時にも全体の形状（姿勢）を保持することができる。すなわち、後端寄りが垂れ下がることを防止することができる。従って、駐輪中も見栄えが良いとともに、再使用時に、容易に手を入れることができる。特に、前後方向の全長が長くても、後端寄りが垂れ下がることを防止することができる。
【図面の簡単な説明】
【０００９】
【図１】本発明の第１の実施の形態の使用状態を示す側面図である。
【図２】側面図である。
【図３】図２のＡ−Ａ断面端面図である。
【図４】図２のＢ−Ｂ断面端面図である。
【図５】背面図である。
【図６】横骨部材を示す背面図である。
【図７】第２の実施の形態を示す側面図である。
【図８】第３の実施の形態を示す側面図である。
【図９】従来例を示す側面図である。
【発明を実施するための形態】
【００１０】
図１は、本発明の第１の実施の形態の使用状態を示す。このハンドルカバーは、二輪車（自転車）のハンドルＨに取付紐13を結んで取付けて、ハンドルＨを握る手Ｔを太陽の紫外線から守るために用いられる。図１〜図５に示すように、前方小開口部１と後方大開口部２を有する略筒状カバー本体３と、カバー本体３の内部に配設される二つ折り状（倒立略Ｖ字型）の仕切り布体４を備える。カバー本体３は、例えば、レースなどの通気性を有する布体から成る。仕切り布体４は、防水性を有するものが好ましい。カバー本体３と仕切り布体４の材質は、例えば、樹脂製又はコットン製等とする。カバー本体３と仕切り布体４によって、二重に紫外線をカットすることができる。
【００１１】
図１〜図６に示すように、カバー本体３の上部稜線15が後端寄りに於て不使用時に垂れ下がるのを防いで上部稜線15が略ストレートの形状を保持するための骨部材５が、カバー本体３に、縫着される。仕切り布体４によって、骨部材５に直接手Ｔが接触することを防止するように構成して、手Ｔが骨部材５によって怪我をすることを防止することができる。
【００１２】
骨部材５は、例えば、ポリプロピレン、ポリ塩化ビニル、ポリエチレン等の樹脂、又は、金属等から成る。カバー本体３が、横断面倒立略Ｖ字型の前方本体部６と、前方本体部６の後方へ延設される横断面倒立略Ｖ字型の延設部７と、前方本体部６の下部に連設されるメッシュ体８を備える。そして、骨部材５が、前方本体部６の上部稜線９とその延長線10に沿って配設される縦骨部材５Ａと、前方本体部６と延設部７との境界縁取り線11に沿って配設される横骨部材５Ｂを備える。本発明に於て、「前方本体部６と延設部７との境界縁取り線11」とは、前方本体部６と延設部７との境界に配設される縁取り帯体14の後方端縁を言うものとする。図１・図２・図６に示すように、横骨部材５Ｂは、側面視が略円弧状かつ背面視が略倒立Ｖ字型に形成される。縦骨部材５Ａ及び横骨部材５Ｂは、カバー本体３に縫着される。延設部７によって、手Ｔが日焼けすることを広範囲にわたり防止できる。
【００１３】
図３に示すように、縦骨部材５Ａは、横断面一文字型の両端部を縫着糸16により縫着される。
図４に示すように、横骨部材５Ｂは、縁取り帯体14に内包状として、前方本体部６、延設部７、縁取り帯体14とともに、一体状に、縫着糸16にて縫着されている。このように縫着すれば、効率的である。
縦骨部材５Ａと横骨部材５Ｂとは、交差する部分は、一体状に縫着されており（図示省略）、強度的に優れる。
【００１４】
延設部７の上部稜線12は、前方本体部６の上部稜線９の延長線10よりも、ハンドルカバーの内部が拡大する方向に角度θだけ傾いて（後方上傾状に）形成する。前方本体部６の上部稜線９よりも、延設部７の上部稜線12が後方上傾方向にやや大きく傾斜している。前方本体部６の上部稜線９と、延設部７の上部稜線12との成す角度θが、０°＜θ≦30°に設定される。角度θがこの範囲内にある場合、手Ｔを挿入しやすく、かつ、カバー本体３の大きさが適切となる。そして、骨部材５との兼ね合いで、カバー本体３の上部稜線15が後端寄りに於て垂れ下がることを防止することができる。角度θがθ≦０°の場合、手Ｔを挿入しにくい。角度θが30°＜θの場合、カバー本体３（の延設部７）が大きくなり、無駄な部分が生じる。
【００１５】
前方本体部６の上部稜線９の長さ寸法Ｌ１と、延設部７の上部稜線12の長さ寸法Ｌ２を、Ｌ１／３≦Ｌ２≦Ｌ１に設定する。延設部７の上部稜線12の長さ寸法Ｌ２が上記範囲内にある場合、紫外線から手Ｔの広範囲を守ることができ、かつ、容易に手Ｔを挿入することができる。Ｌ２＜Ｌ１／３の場合、紫外線から手Ｔを守る範囲が狭くなったり、手Ｔを挿入しづらくなる虞れがある。Ｌ１＜Ｌ２の場合、不使用時にカバー本体３の上部稜線15の後端寄りに於て垂れ下がって（ハンドルカバーの全体形状が崩れて）見苦しくなる虞れがある。
【００１６】
図５に示すように、取付紐13の中央部が左右方向にわたって配設されてカバー本体３に縫着されており、図１に示すように、ハンドルＨの（上下方向杆状の）一部（グリップＧとブレーキレバーＲの間の部分）Ｈ０に係止して、カバー本体３が所定位置より前方へ移動することを防止する。すなわち、カバー本体３を後方に多く出しておくことができる。
【００１７】
図７は、第２の実施の形態を示す。すなわち、骨部材５が縦骨部材５Ａのみから成る。その他の構成は、第１の実施の形態と同様である。
【００１８】
図８は、第３の実施の形態を示す。すなわち、骨部材５が横骨部材５Ｂのみから成る。その他の構成は、第１の実施の形態と同様である。
【００１９】
なお、本発明に於て、カバー本体３の上部稜線15が「略ストレートの形状」であるとは、前方本体部６の上部稜線９と、延設部７の上部稜線12とが０°＜θ≦30°を満たす角度θを成すように折れ曲がっている場合を含むものとする。
本発明は、設計変更可能であって、例えば、骨部材５が、縦骨部材５Ａと横骨部材５Ｂの少なくとも一方を有するとともに、縦骨部材５Ａと横骨部材５Ｂ以外の形状保持用部材を有するも良い。また、骨部材５の横断面形状は、円形（図示省略）であっても良い。また、骨部材５を接着等によりカバー本体３に付設する構成とするも良い。
【００２０】
以上のように、本発明は、二輪車のハンドルＨに取付けて、ハンドルＨを握る手Ｔを紫外線から守るためのハンドルカバーであって、前方小開口部１と後方大開口部２を有する略筒状カバー本体３を備え、カバー本体３の上部稜線15が後端寄りに於て不使用時に垂れ下がるのを防いで上部稜線15が略ストレートの形状を保持するための骨部材５を、カバー本体３に、付設したので、不使用時にカバー本体３の上部稜線15が後端寄りに於て垂れ下がることを防止することができる。すなわち、形崩れを防止することができる。従って、駐輪中も見栄えが良いとともに、再使用時に、容易に手を入れることができる。また、骨部材５によって、補強することもできる。
【００２１】
また、カバー本体３が、横断面倒立略Ｖ字型の前方本体部６と、前方本体部６の後方へ延設される延設部７と、を備え、骨部材５が、前方本体部６の上部稜線９とその延長線10に沿って配設される縦骨部材５Ａを備えるので、不使用時にカバー本体３の上部稜線15が後端寄りに於て垂れ下がることを防止することができる。すなわち、形崩れを防止することができる。従って、駐輪中も見栄えが良いとともに、再使用時に、容易に手を入れることができる。また、骨部材５が縦骨部材５Ａのみから成る場合、効率良く上記効果を得ることができる。
【００２２】
また、カバー本体３が、横断面倒立略Ｖ字型の前方本体部６と、前方本体部６の後方へ延設される延設部７と、を備え、骨部材５が、前方本体部６と延設部７との境界縁取り線11に沿って配設される横骨部材５Ｂを備えるので、不使用時にカバー本体３の上部稜線15が後端寄りに於て垂れ下がることを防止することができる。すなわち、形崩れを防止することができる。従って、駐輪中も見栄えが良いとともに、再使用時に、容易に手を入れることができる。また、骨部材５が横骨部材５Ｂのみから成る場合、効率良く上記効果を得ることができる。
【００２３】
また、延設部７が横断面倒立略Ｖ字型であって、前方本体部６の上部稜線９と、延設部７の上部稜線12との成す角度θを、０°＜θ≦30°に設定したので、手を容易に挿入することができるとともに、カバー本体の大きさが適切となる。
また、延設部７が横断面倒立略Ｖ字型であって、前方本体部６の上部稜線９の長さ寸法Ｌ１と、延設部７の上部稜線12の長さ寸法Ｌ２を、Ｌ１／３≦Ｌ２≦Ｌ１に設定したので、紫外線から手の広範囲を守ることができ、かつ、容易に手を挿入することができる。
【符号の説明】
【００２４】
１  前方小開口部
２  後方大開口部
３  カバー本体
５  骨部材
５Ａ  縦骨部材
５Ｂ  横骨部材
６  前方本体部
７  延設部
９  上部稜線
10  延長線
11  境界縁取り線
12  上部稜線
15  上部稜線
Ｈ  ハンドル
Ｌ１  長さ寸法
Ｌ２  長さ寸法
Ｔ  手
θ  角度
【図１】
2013141853.tif 000003
【図２】
2013141853.tif 000004
【図３】
2013141853.tif 000005
【図４】
2013141853.tif 000006
【図５】
2013141853.tif 000007
【図６】
2013141853.tif 000008
【図７】
2013141853.tif 000009
【図８】
2013141853.tif 000010
【図９】
2013141853.tif 000011